(57)【要約】      （修正有）【課題】取付けブラケットへの取り外しに対して適切な抵抗を有し、取り付けのための力が最小限ですむクイックフィット固定装置を提供する。【解決手段】カラー２６は、本体に回転可能に取り付けられ、カラーの前面から軸方向に突き出す少なくとも１対の突起６０が、カラー２６の両側に配置され、カラー２６が第１の角度位置にあるときに、取付けブラケットのスロットへ挿入でき、カラーが第１の角度位置に対して回転した第２の角度位置で、取付けブラケットのスロット内にロックされ、取付けブラケットに取り付けられていないとき、カラーを第１の角度位置にロックされた状態に保ち、固定装置が取付けブラケットのスロットに挿入されているとき、カラーのロックを解除して、弾性手段２８によってカラ２６ーを第１の角度位置から第２の角度位置へと自動的に回転させるように構成されたロック手段を備えている。【選択図】図３
2012102870.tif 000002
【特許請求の範囲】
【請求項１】
取付けブラケット（１０）に制御ケーブルの鞘を固定するためのクイックフィット固定装置（１２）であって、該装置は、前記取付けブラケット（１０）の側部（１６）に概ねＵ字形の開口として形成されたスロット（１４）を有し、該スロット（１４）は円形の収容部（１８）を備え、該収容部（１８）は、該収容部（１８）の直径よりも小さな幅の開口（２０）を形成するように１８０度よりも大きく３６０度よりも小さな角度に亘って延びる円弧に沿って閉じられており、
前記装置は、
制御ケーブルの鞘へ該制御ケーブルの鞘に同軸に取り付けられるように構成された中空の本体（２４）と、
前記本体（２４）に同軸に、且つ、自身の固有の軸に一致する回転の軸（Ｘ）を中心にして該本体（２４）に対して回転可能に、該本体（２４）へ取り付けられたカラー（２６）と、
前記本体（２４）と前記カラー（２６）との間に介装され、該カラー（２６）を前記回転の軸（Ｘ）を中心にして回転させる傾向のトルクを該カラー（２６）に加えるように構成された弾性手段（２８）と、を備えており、
前記固定装置（１２）は、
当該固定装置（１２）が取付けブラケット（１０）に取り付けられていないとき、前記カラー（２６）を所定の第１の角度位置にロックされた状態に維持するように、且つ、前記固定装置（１２）が取付けブラケット（１０）のスロット（１４）へ挿入されているとき、前記カラー（２６）のロックを解除して、前記弾性手段（２８）によって加えられるトルクの結果として該カラー（２６）を前記第１の角度位置から第２の角度位置へ自動的に回転させるように構成されたロック手段（４２、７０）をさらに備え、
前記カラー（２６）に、少なくとも１対の軸方向の突起（６０）が形成されており、該少なくとも１対の軸方向の突起（６０）は、前記カラー（２６）が前記第１の角度位置にあるときに、取付けブラケット（１０）の面内に位置する挿入の方向（Ｚ）に沿った移動によって取付けブラケット（１０）のスロット（１４）へ挿入可能となるように、且つ、前記カラー（２６）が前記第２の角度位置にあるときに、前記挿入の方向（Ｚ）に沿った移動に関して取付けブラケット（１０）のスロット（１４）内にロックされるように形作られていることを特徴とする固定装置。
【請求項２】
前記ロック手段（４２、７０）が、弾性変形可能な手段（４２）を含んでいる請求項１に記載の固定装置。
【請求項３】
前記弾性変形可能な手段（４２）が、前記本体（２４）によって形成された弾性変形可能なラチェットと、前記カラー（２６）に設けられたロッキング座部（７０）とを含んでおり、
前記ラチェット（４２）は、
当該固定装置（１２）が取付けブラケット（１０）に取り付けられようとしている状態において、前記ロッキング座部（７０）に係合して、これにより前記カラー（２６）を前記第１の角度位置にロックされた状態に維持するように、且つ、
当該固定装置（１２）が取り付けブラケット（１０）のスロット（１４）に挿入されているとき、前記ロッキング座部（７０）から係合解除され、これにより前記弾性手段（２８）によって加えられるトルクの結果として前記カラー（２６）を前記第１の角度位置から第２の角度位置へ回転可能とするように構成されている請求項２に記載の固定装置。
【請求項４】
前記ラチェット（４２）は、前記固定装置（１２）が取付けブラケット（１０）のスロット（１４）に挿入されているときにスロット（１４）の収容部（１８）の縁部（７２）に当接するように、且つ、前記ロッキング座部（７０）から係合解除されるまでの前記縁部（７２）との相互作用の結果として弾性的に変形するように形作られている請求項３に記載の固定装置。
【請求項５】
前記少なくとも１対の軸方向の突起（６０）は、前記カラー（２６）の軸（Ｘ）を通過する面を挟んだ両側に対称に配置され、且つ、取付けブラケット（１０）のスロット（１４）の収容部（１８）の直径に略等しい外径を有している１対の三日月形の突起を含んでおり、
該軸方向の突起（６０）は、
前記カラー（２６）が前記第１の角度位置にあるとき、前記挿入の方向（Ｚ）に垂直な方向（Ｙ）における前記突起全体としての寸法が、収容部（１８）の開口（２０）の幅よりも小さく、したがって当該固定装置（１２）をスロット（１４）へ出し入れすることができる一方で、前記カラー（２６）が前記第２の角度位置にあるときは、前記方向（Ｙ）における前記突起全体としての寸法が、スロット（１４）の収容部（１８）の開口（２０）の幅よりも大きく、したがって当該固定装置（１２）をスロット（１４）から引き出すことができないような、角度サイズを有している請求項１〜４のいずれか一項に記載の固定装置。
【請求項６】
前記カラー（２６）の前記第１および第２の角度位置が、回転方向において互いに９０度ずれた位置である請求項１〜５のいずれか一項に記載の固定装置。
【請求項７】
前記本体（２４）は、互いに接続される第１の中空部材（３０）および第２の中空部材（３２）を備えており、
前記第１の中空部材（３０）は、円筒形の筒状部（３８）と、該円筒形の筒状部（３８）から半径方向に外へと広がっている肩部（４０）とを備えており、
前記カラー（２６）は、取付けブラケット（１０）が挿入される座部を前記肩部（４０）と共に形成するように、前記肩部（４０）と前記第２の中空部材（３２）との間で前記円筒形の筒状部（３８）に取り付けられ、
前記弾性手段（２８）は、前記カラー（２６）と前記第２の中空部材（３２）との間に介装されている請求項１〜６のいずれか一項に記載の固定装置。
【請求項８】
前記弾性変形可能な手段（４２）は、前記本体（２４）の前記第１の部材（３０）の前記肩部（４０）によって形成されている請求項７と請求項２〜４のいずれか一項とに記載の固定装置。
【請求項９】
前記カラー（２６）の外周面に、該カラー（２６）が前記第１または第２の角度位置のいずれにあるかを示すための半径方向の突起（８６）が形成されている請求項１〜８のいずれか一項に記載の固定装置。
【請求項１０】
前記本体（２４）は、該本体（２４）の制御ケーブルの鞘に対する回転を防止するための回転防止手段を備えている請求項１〜９のいずれか一項に記載の固定装置。
【発明の詳細な説明】
【技術分野】
【０００１】
本発明は、とくには自動車において使用され、制御ケーブルの鞘を取付けブラケットへ固定するクイックフィット固定装置に関する。
【背景技術】
【０００２】
文献ＷＯ２００４／０３６０６８が、縁部に向かって開いたスロットを有している固定の取付けブラケットに制御ケーブルの鞘を固定するためのクイックフィット固定装置であって、鞘へと同軸に取り付けられる中空な本体を備えており、そのような本体が、取付けブラケットの厚さよりも大きい軸方向の寸法とスロットの内径よりも小さい外径とを有する周溝を有することで、この本体をこの溝の領域においてスロットへと挿入することができる固定装置を開示している。さらに、この固定装置は、本体に沿って軸方向にスライドできるように本体の周囲に取り付けられたカラーを備えており、このカラーが、前記溝に面する側に、断面がくさび状の外形を有する前縁を形成している。固定装置がスロットに取り付けられたとき、カラーの前縁が溝へと延びて溝の直径を増加させ、スロットから固定装置が外れることがないようにする。ばねがカラーを溝に向かって押そうとする付勢力をカラーに加えることで、固定装置が取付けブラケットに取り付けられた状態にあるとき、固定装置をこの状態に保つ。固定装置を取付けブラケットから取り外すためには、カラーをばねの付勢力に逆らって取付けブラケットから離れるように軸方向に移動させれば充分である。
【０００３】
この公知の固定装置の欠点は、装置を取付けブラケットに取り付けるために、溝を自由にして本体をこの溝の領域においてスロットへと挿入できるようにするために、カラーをばねの付勢力に逆らって移動させる必要がある点にある。取付けブラケットへの取り付け後に固定装置がスロットから意図せず外れてしまうことがないようにしなければならないため、ばねの付勢力が通常はかなり大きく、したがって固定装置の取付けを担当する作業者にとって、取付けブラケットに加えるべき取付け力が相応に大きい。他方で、固定装置の取付けブラケットへの取付けに必要な力を減らすために、ばねの付勢力を小さくすると、固定装置が取付けブラケットから意図せずに外れてしまう恐れが増す。
【発明の概要】
【発明が解決しようとする課題】
【０００４】
したがって、本発明の目的は、制御ケーブルの鞘を取付けブラケットへと固定するためのクイックフィット固定装置であって、上述の従来技術の欠点に影響されず、取り外しに対して適切な抵抗を保証できると同時に、取付けブラケットへの取り付けのための力が最小限ですむ固定装置を提供することにある。
【課題を解決するための手段】
【０００５】
この目的と他の目的とが、本発明によれば、制御ケーブルの鞘を取付けブラケットに固定するためのクイックフィット固定装置であって、冒頭部分が文献ＧＢ２３４９６６８にもとづいている添付の独立請求項１に記載の特徴を有するクイックフィット固定装置によって達成される。
【０００６】
制御ケーブルの鞘を取付けブラケットに固定するための本発明に係るクイックフィット固定装置の好ましい実施の形態が、今回の開示に不可欠でありかつ今回の開示の全体を構成する一部分と考えられる従属請求項の主題である。
【０００７】
要約すると、本発明は、制御ケーブルの鞘へ該制御ケーブルの鞘に同軸に取り付けられるように構成された中空の本体と、該本体に同軸に、該本体に対して可動であるように、該本体へと取り付けられたカラーと、前記本体と前記カラーとの間に介装された弾性手段と、を備えた取付けブラケットに制御ケーブルの鞘を固定するためのクイックフィット固定装置を提供するという考えに基づいたものであり、
前記カラーは、自身の固有の軸に一致する回転の軸を中心にして前記本体に回転可能に取り付けられ、
前記カラーは、該カラーの前面から軸方向に突き出す少なくとも１対の軸方向の突起を形成しており、該少なくとも１対の軸方向の突起が、前記カラーの軸を通過する面の両側に配置され、前記カラーが所定の第１の角度位置にあるときに、取付けブラケットの面に位置する挿入の方向に沿った移動によって取付けブラケットのスロットへ挿入でき、かつ前記カラーが前記回転の軸を中心にして前記第１の角度位置に対して回転した所定の第２の角度位置にあるときに、前記挿入の方向について取付けブラケットのスロット内にロックされるように形作られており、
前記弾性手段は、前記カラーを前記第１の角度位置から前記第２の角度位置へと回転させる傾向のトルクを前記カラーに加えるように構成されており、
前記固定装置は、該固定装置が取付けブラケットに取り付けられていないとき、前記カラーを前記第１の角度位置にロックされた状態に保ち、当該固定装置が取付けブラケットのスロットに挿入されているとき、前記カラーのロックを解除して、前記弾性手段によって加えられるトルクの結果として該カラーを前記第１の角度位置から第２の角度位置へと自動的に回転させるように構成されたロック手段をさらに備えている。
【０００８】
好ましくは、前記ロック手段が、弾性変形可能な手段として製作され、前記カラーが、このロック手段の弾性変形によってロック解除される。したがって、カラーをロック解除し、すなわち固定装置の取付けブラケットへの取付けを可能にするために、作業者は、上述した公知の固定装置において弾性手段がカラーへ加えている付勢力にではなく、弾性変形に抗しようとするロック手段（弾性変形可能な手段として作られている）の対抗力に打ち勝つだけでよい。したがって、設計者は、作業者による固定装置の取付けがより困難になる可能性を心配することなく、所望の値の付勢トルクをカラーに加えるようなやり方で弾性手段を設計することができる。
【０００９】
好ましくは、ロック手段が、固定装置の本体によって形成される弾性変形可能なラチェットによって形成され、このラチェットが、固定装置が取付けブラケットへとすぐに取り付けられる状態にあるとき、カラーに設けられた対応するロッキング座部に係合し、カラーを前記第１の角度位置にロックされた状態に保つとともに、固定装置が取付けブラケットのスロットに挿入されているとき、カラーの対応するロッキング座部から外れ、カラーを前記弾性手段によって加えられる付勢トルクの結果として前記第１の角度位置から前記第２の角度位置へと回転させるように構成される。この目的のため、弾性変形可能なラチェットは、好都合には、固定装置が取付けブラケットのスロットに挿入されているときにスロットの縁部に当接し、この縁部との相互作用の結果としてカラーの対応するロッキング座部から外れるまで弾性的に変形するように形作られる。
【００１０】
本発明に係る固定装置を、とくに自動車において現在広く使用されている取付けブラケットに、制御ケーブル（例えば、１つ以上の電気機械アクチュエータからの指令をギアボックスへと伝える目的の「プッシュ−プル」ケーブルなど）の鞘を固定する目的で固定することができる。これらの取付けブラケットは、おおむね取付けブラケットの上側の水平な側面に向かうＵ字形の開口として形作られたスロットを有しており、このスロットが、円形の収容部と、受け入れ部とを備えており、収容部は、この収容部の直径よりも小さな幅の開口を形成するように１８０度超かつ３６０度未満にわたる円弧に沿って閉じており、受け入れ部は、取付けブラケットの上側の水平な側面から出発して収容部の開口に向かって先細りとなる１対の斜めの側面によって形成されている。固定装置をこのような形状のスロットを有している取付けブラケットに取り付けできるよう、カラーの上述の少なくとも１対の軸方向の突起は、好都合には、カラーの軸を通過する面の両側に対称に配置されてスロットの収容部の直径に実質的に等しい（最小限の遊びを除く）外径を有している１対の三日月形の突起を含んでおり、これらの突起は、カラーが前記第１の角度位置にあるとき、スロットへの挿入の方向に垂直な方向（今回の場合、水平方向）における突起の全体としての寸法が、スロットの収容部の開口の幅よりも小さく、したがって固定装置をスロットへと出し入れすることができる一方で、カラーが前記第２の角度位置にあるときは、上述の方向における突起の全体としての寸法が、スロットの収容部の開口の幅よりも大きく、したがって固定装置をスロットから取り出すことができないような角度にわたっている。
【００１１】
好ましくは、カラーの前記第１および第２の角度位置は、回転方向に互いに９０度ずれた位置であり、その場合には、カラーが前記第２の角度位置にあるとき、このカラーの前記軸方向の突起は、その挿入の方向に垂直な方向の全体としての寸法が、これらの突起の外径に等しい。
【００１２】
好ましくは、カラーの外周面に、カラーが前記第１または第２の角度位置のいずれにあるかを作業者に明瞭かつ明白に示す機能を有する半径方向の突起が形成される。実際、この半径方向の突起は、回転駆動されるようにカラーに接続され、やはりカラーの第１および第２の角度位置にそれぞれ対応する第１および第２の角度位置をとる。したがって、固定装置が取付けブラケットに正しく取り付けられているかどうかを、作業者が素早く確認することができる。さらに、この場合には、好都合には、固定装置の本体に、本体の鞘に対する回転を防止するための回転防止手段が設けられる。
【００１３】
本発明のさらなる特徴と利点とが、添付の図面を参照しつつあくまでも本発明を限定するものではない例として提示される以下の詳細な説明から、明らかになるであろう。
【図面の簡単な説明】
【００１４】
【図１】制御ケーブルの鞘を取付けブラケットに固定するための本発明の好ましい実施の形態に係るクイックフィット固定装置について、取付けブラケットに取り付けられた状態の斜視図（一部が想像線で示されている）である。
【図２】取付けブラケットを省いて図１の固定装置だけを示した斜視図であり、固定装置が図１に示した位置に対して９０度回転させられている。
【図３】取付けブラケットを省いて図１の固定装置だけを示した分解斜視図である。
【図４】図１の固定装置のカラーと関連の取付けブラケットとを示した正面図であり、カラーが第１の角度位置にある。
【図５】図１の固定装置のカラーと関連の取付けブラケットとを示した正面図であり、カラーが第２の角度位置にある。
【図６】取付けブラケットに取り付けられた状態の図１の固定装置を下方から示すさらなる斜視図である。
【図７】カラーが第１の角度位置にあるときの図１の固定装置の弾性変形可能なラチェットを詳しく示している下方からの拡大図である。
【図８】取付けブラケットにすぐに取り付けできる状態にある図１の固定装置の縦断面図である。
【図９】取付けブラケットに取り付けられた状態にある図１の固定装置の縦断面図である。
【発明を実施するための形態】
【００１５】
以下の説明と特許請求の範囲とにおいては、「軸方向」及び「長手方向」という用語は、鞘の軸の方向に一致する固定装置の軸の方向を指して使用される一方で、「半径方向」及び「横方向」という用語は、前記軸を通過しかつ前記軸に垂直である任意の方向を指して使用される。さらに、「上方」と「下方」、あるいは「垂直」と「水平」などといった用語は、以下の説明と特許請求の範囲とにおいて、上方に開放したスロットを有し且つ鉛直方向に方向付けられた取付けブラケットへの固定装置の取付け状態を基準に使用される。しかしながら、本発明に係る固定装置を、任意の向きを有する取付けブラケットに取り付けできることは、明らかである。
【００１６】
最初に図１を参照すると、符号１０は、例えば自動車の固定の部位へ取り付けられた取付けブラケットを指している一方で、符号１２は、制御ケーブル（とくには、いわゆる「プッシュ−プル」ケーブル）の鞘（図示せず）を取付けブラケット１０（以下では、簡潔にするために、単にブラケットと称する）へと着脱可能に固定するように意図された本発明に係る固定装置の全体を指している。
【００１７】
固定装置１２を受け入れて保持するために、ブラケット１０は、それ自体は公知の様相で、ブラケット１０の上側の水平な側面１６に向かって開いたおおむねＵ字形のスロット１４を有している。スロット１４は、円形の収容部１８と、１対の傾斜面２２によって形成された受け入れ部とを備えており、収容部１８は、収容部１８の直径よりも小さい幅の開口２０を形成するように１８０度超かつ３６０度未満にわたって延びる円弧に沿って閉じられており、受け入れ部は、ブラケット１０の上側の水平な側面１６から出発して収容部１８の開口２０に向かって先細りとなっている。図４及び５においてよりはっきりと見て取ることができるとおり、スロット１４は、固定装置１２のスロット１４への出し入れの方向に一致し、したがって以下では挿入方向と称される垂直方向Ｚに関して、対称な構成を有している。
【００１８】
固定装置１２は、基本的には、制御ケーブルの鞘へと同軸に取り付けられるように構成された中空の本体２４（以下では、簡潔にするために、単に本体と称する）と、本体２４に同軸に取り付けられ、本体２４に対して回転可能であるカラー２６と、本体２４とカラー２６との間に介装されたばね２８とを備えている。すでに述べたように制御ケーブルの鞘の軸とも一致する本体２４とカラー２６の軸が、図面においてＸで示されている。
【００１９】
より具体的には、本体２４が、第１および第２の部材３０，３２を備えており、第１および第２の部材３０，３２は、互いに別々の中空部材として製作され、例えば第１の部材３０によって形成される複数の接続歯３４を第２の部材３２に設けられる対応する複数の座部３６に係合させることによって、互いに接続される。第１の部材３０は、円筒形の筒状部３８と、円筒形の筒状部３８の端部の付近において円筒形の筒状部３８から半径方向に外へと広がっている肩部４０とを備えている。図６〜８にさらにはっきりと示されているとおり、第１の部材３０の肩部４０は、その周方向の広がりのうちの短いセグメントにおいて中断されており、このセグメントに、弾性的に変形させることができるラチェット４２が形成されており、ラチェット４２は、変形させられていない状態において、第２の部材３２に面している肩部４０の前面４４の面から第２の部材３２に向かって軸方向に突き出している。第２の部材３２は、第１の部材３０の円筒形の筒状部３８に取り付けられる第１の円筒形の筒状部４６と、第１の円筒形の筒状部４６よりも直径が小さく、軸方向に第１の部材３０とは反対側に延びている第２の円筒形の筒状部４８とを備えている。第１の部材３０の肩部４０の前面４４は、第２の部材３２の第１の円筒形の筒状部４６の前面５０から軸方向に離れており、カラー２６およびばね２８が、以下で詳しく説明されるように、前記前面４４および５０の間に配置されている。
【００２０】
カラー２６は、第１の部材３０の円筒形の筒状部３８の周囲に配置され、この第１の部材３０の円筒形の筒状部３８とともにばね２８を収容する環状の部屋５４を定める円筒形の筒状部５２を備えている。さらにカラー２６は、第１の部材３０の肩部４０に面する円筒形の筒状部５２の端部から半径方向内側へと広がる横壁５６を備えており、この横壁５６が、第１の部材３０の円筒形の筒状部３８が挿入される円柱形の穴５８を有している。さらにカラー２６は、第１の部材３０の肩部４０に面している横壁５６の面から肩部４０に向かって軸方向に突き出している１対の軸方向の突起６０を備えている。軸方向の突起６０は、三日月状の形状を有しており、カラー２６の軸（軸Ｘ）を通過する面の両側に対称に配置されている。軸方向の突起６０は、円柱形の穴５８の直径に実質的に等しい内径と、スロット１４の収容部１８の直径に実質的に等しい外径とを有しており、軸方向の突起６０が収容部１８の内側に位置するときに、軸方向の突起６０がカラー２６と一緒に回転できるよう、軸方向の突起６０の外径と収容部１８の直径との間に最小限の遊びだけがもたらされている。軸方向の突起６０の角度の広がりは、カラー２６が第１の角度位置（図４に示されている）にあるとき、挿入の方向Ｚに垂直な方向Ｙにおけるこれらの突起の全体としての寸法が、スロット１４の収容部１８の開口２０の幅よりも小さく、したがって固定装置１２の全体をカラー２６とともにスロット１４へと出し入れすることができる一方で、カラー２６が第２の角度位置（図５に示されている）にあるときは、上述の方向Ｙにおけるこれらの突起の全体としての寸法が、開口２０の幅よりも大きく、したがってカラー２６、すなわち固定装置１２の全体を、カラー２６とともにスロット１４から取り出すことができないような角度の広がりとされている。カラー２６の第１の角度位置は、好ましくは、カラー２６がこの位置にあるときに軸方向の突起６０が互いに挿入の方向Ｚにおいて位置合わせされるようなやり方で定められる。カラー２６の第２の角度位置は、好ましくは第１の角度位置に対して９０度だけ回転させられることで、カラー２６が第２の角度位置にあるとき、軸方向の突起が互いに方向Ｙに位置合わせされ、したがって軸方向の突起のこの方向の全体としての寸法が、軸方向の突起の外径に実質的に等しくなり、すなわちスロット１４の収容部１８の直径に実質的に等しくなる。
【００２１】
すでに上述したように環状の部屋５４に収容されるばね２８は、カラー２６を第１の角度位置から第２の角度位置へと回転させる傾向のトルクをカラー２６に加えるように予め負荷が加えられている。図示の例では、ばね２８が、本体２４の第１の部材３０の肩部４０の方を向いた第１の端部６２と、本体２４の第２の部材３２の方を向いた第２の端部６４とを有する円筒形のつる巻きばねとして製作されている。ばね２８の２つの端部６２，６４は、どちらもばねの軸（軸Ｘ）に平行に延びており、それぞれカラー２６の穴６６（図４と５）および本体２４の第２の部材３２の穴６８（図３）へと挿入されている。
【００２２】
図７に示されるとおり、固定装置１２がブラケット１０へ取り付けられようとしている状態にあるとき、カラー２６が、本体２４の第１の部材３０によって形成されるラチェット４２がカラー２６の対応するロッキング座部７０に係合する結果として、第１の角度位置にロックされた状態に保たれている。図４と５とに示されるとおり、ロッキング座部７０は、とくにはカラー２６の２つの軸方向の突起６０のうちの一方の前面に、好都合にはこの軸方向の突起の中央に形成されている。すでに上述したように、ラチェット４２は、肩部４０の前面４４の面に比べて第２の部材３２に向かって、すなわちカラー２６に向かって、軸方向に突き出しており、したがってカラー２６のロッキング座部７０に係合することができる。固定装置１２がブラケット１０のスロット１４に挿入されるとき、ラチェット４２がスロット１４の収容部１８によって形成された縁部７２（図９）と協働することによって、ラチェット４２のロッキング座部７０からの離脱が生じ、これが自動的に、ばね２８がカラー２６へと加えているトルクゆえに、カラー２６の第１の角度位置から第２の角度位置への回転を生じさせる。この目的のため、カラー２６および本体２４の第１の部材３０は、第１の部材３０の肩部４０の前面４４と第１の部材３０に面するカラー２６の横壁５６の前面との間の距離が、ブラケット１０の厚さに実質的に等しい（最小限の遊びが存在してもよい）ようなやり方で寸法付けられる。このようにして、固定装置１２がブラケット１０のスロット１４に挿入されているとき、ブラケット１０の縁部７２がラチェット４２と協働し、ラチェット４２をロッキング座部７０から外れるまで弾性的に変形させる。図６と９とに示されるとおり、カラー２６が第２の角度位置にあるとき、ラチェット４２は変形させられた状態のまま、ブラケット１０に当接し、ブラケット１０が第１の部材３０の肩部４０とカラー２６の横壁５６との間にもたらされる空間において軸方向に拘束されるように保証している。
【００２３】
固定装置１２は、互いに挿入されて互いに固定される第１の剛体スリーブ７４および第２の剛体スリーブ７６をさらに備えており、第１の剛体スリーブ７４が、制御ケーブルの芯（図示せず）をスライド可能に受け入れるように構成された円柱形の貫通穴７８を有し、第２の剛体スリーブ７６が、制御ケーブルの鞘（やはり図示せず）の端部が挿入されて固定される円柱形の貫通穴８０を有している。好ましくは、固定装置１２は、半径方向において第１の剛体スリーブ７４と本体２４の第１の部材３０との間に介装される第１のブシュ８２と、半径方向において第２の剛体スリーブ７６と本体２４の第２の部材３２との間に介装される第２のブシュ８４とをさらに備え、これら２つのブシュ８２および８４が、振動減衰機能を有しており、したがって例えばエラストマ材料またはこの機能に適した任意の他の材料で製作される。
【００２４】
好ましい実施の形態によれば、カラー２６の外周面に、カラーが第１の角度位置または第２の角度位置のいずれにあるかを作業者に明瞭かつ明白に示す機能を有する半径方向の突起８６が形成される。実際、半径方向の突起８６は、回転駆動されるようにカラーに接続され、したがって図４と５とに明確に示されるとおり、やはりカラーの第１および第２の角度位置にそれぞれ対応する第１および第２の角度位置をとる。したがって、作業者が、固定装置が該当の取付けブラケットに正しく取り付けられているかどうかを、素早く確認することができる。この実施の形態によれば、さらに好都合には、固定装置１２の本体２４に、鞘に対する本体の回転を防止するための回転防止手段が設けられる。この回転防止手段を、例えば本体２４の２つの部材３０，３２の一方の内周面に設けられて、固定装置の組み立て後の状態において鞘へと固定される固定装置の部品のうちの１つ（例えば、第１の剛体スリーブ７４または第２の剛体スリーブ７６など）に設けられる対応する放射状の突起またはスリットにそれぞれ係合する放射状のスリットまたは突起によって形成することができる。
【００２５】
当然ながら、本発明の原理は変わらないまま、実施の形態と構成上の詳細とを、あくまでも本発明を限定するものではない例として説明と図示した実施の形態と構成上の詳細から、添付の特許請求の範囲に定められるとおりの本発明の技術的範囲から離れることなく、幅広く変更することが可能である。
【図１】
2012102870.tif 000003
【図２】
2012102870.tif 000004
【図３】
2012102870.tif 000005
【図４】
2012102870.tif 000006
【図５】
2012102870.tif 000007
【図６】
2012102870.tif 000008
【図７】
2012102870.tif 000009
【図８】
2012102870.tif 000010
【図９】
2012102870.tif 000011
【外国語明細書】
2012102870.tif 000012
2012102870.tif 000013
2012102870.tif 000014
2012102870.tif 000015
2012102870.tif 000016
2012102870.tif 000017
2012102870.tif 000018
2012102870.tif 000019
2012102870.tif 000020
2012102870.tif 000021
2012102870.tif 000022
2012102870.tif 000023
2012102870.tif 000024
2012102870.tif 000025
2012102870.tif 000026
2012102870.tif 000027
2012102870.tif 000028
2012102870.tif 000029
2012102870.tif 000030
2012102870.tif 000031